(57)【特許請求の範囲】
【請求項１】
底面および前記底面の周縁から上方へ延びる第１周面により物品収納部と頂部開口とが画成された容器本体と、頂面および前記頂面の周縁から下方へ延びる周面を有して前記容器本体の頂部開口を開閉可能な蓋体とを備え、前記第１周面には、前記第１周面の頂部周縁から前記第１周面と交差して前記第１周面の周り方向外方へ延びるフランジと、前記フランジの外周縁から少なくとも下方へ延びて前記第１周面を囲繞する帯状の第２周面とが形成され、前記蓋体の周面が前記第２周面に係合可能な熱可塑性合成樹脂製の収納用容器において、
前記第２周面には、前記第２周面の下方に延びる部分から前記フランジと平行して延びるとともに、その延びた先端部が折れ曲がって前記フランジの下方へ延びる張出部が形成され、
前記第１周面と前記第２周面との間には、前記フランジの下面の側で前記第１周面と交差して前記第１周面の径方向外方へ延びる多数の補強片が取り付けられ、前記補強片が、前記フランジと並行して前記第１，２周面の間に延びる上側縁と、前記上側縁の下方に位置して前記上側縁と並行かつ対向して延びる下側縁とを有し、前記補強片の下側縁が、前記張出部まで延びるとともに、前記第２周面から前記第１周面へ向かうにつれて前記フランジの下面の側へ次第に近づくように延びていることを特徴とする前記容器。
【請求項２】
前記補強片が、前記第１，２周面と平行して延びる両端縁を有し、前記両端縁が前記第１周面と前記第２周面とに連接される請求項１記載の容器。
【請求項３】
前記第２周面が、前記第２周面の互いに対向する部位に前記容器本体の径方向内方へ凹む一対の凹部を有する請求項１または２記載の容器。
【発明の詳細な説明】
【０００１】
【発明の属する技術分野】
本発明は、その内部に物品を収納する収納用容器に関する。
【０００２】
【従来の技術】
物品収納部と頂部開口とが画成された容器本体と、容器本体の頂部開口を開閉可能な蓋体とを有し、物品収納部にバターやマーガリン、ジャム等の半固形物を収納する熱可塑性合成樹脂製の収納用容器は公知である。収納用容器の一例としては、容器本体が、底面と、底面の周縁から上方へ延びる第１周面と、第１周面の頂部周縁から第１周面の周り方向外方へ延びるフランジと、フランジの外周縁から第１周面の上下方向へ延びていて第１周面を囲繞する帯状の第２周面とを有し、蓋体が、頂面と、頂面の周縁から下方へ延びていて第２周面に係合可能な周面とを有するものがある。容器本体のフランジ上面には、アルミ箔、または、アルミ箔とプラスチックフィルムとのラミネートシート等が熱溶着の技術を利用して固着され、物品収納部に収納された食品の酸化や水分の蒸発、食品の変色等を防止している。容器では、温度の変動や劣化等によってフランジと第２周面とが変形してしまうことを防ぐため、第１周面と第２周面との間に第１周面の径方向外方へ延びる多数の補強片を取り付けることがある。
【０００３】
【発明が解決しようとする課題】
しかし、容器を落としたり、容器に他の物がぶつかって、第２周面に衝撃が加えられると、その衝撃が補強片から第１周面に伝わり、補強片の固定部位において第１周面に亀裂が生じてしまうことがある。
【０００４】
本発明の課題は、第２周面に衝撃が加えられた場合でも、その衝撃を吸収または分散して第１周面に伝わる衝撃を小さくすることができる補強片を取り付けた収納用容器を提供することにある。
【０００５】
【課題を解決するための手段】
前記課題を解決するために、本発明が前提とするところは、底面および前記底面の周縁から上方へ延びる第１周面により物品収納部と頂部開口とが画成された容器本体と、頂面および前記頂面の周縁から下方へ延びる周面を有して前記容器本体の頂部開口を開閉可能な蓋体とを備え、前記第１周面には、前記第１周面の頂部周縁から前記第１周面と交差して前記第１周面の周り方向外方へ延びるフランジと、前記フランジの外周縁から少なくとも下方へ延びて前記第１周面を囲繞する帯状の第２周面とが形成され、前記蓋体の周面が前記第２周面に係合可能な熱可塑性合成樹脂製の収納用容器である。
【０００６】
かかる前提において、本発明が特徴とするところは、前記第２周面には、前記第２周面の下方に延びる部分から前記フランジと平行して延びるとともに、その延びた先端部が折れ曲がって前記フランジの下方へ延びる張出部が形成され、前記第１周面と前記第２周面との間には、前記フランジの下面の側で前記第１周面と交差して前記第１周面の径方向外方へ延びる多数の補強片が取り付けられ、前記補強片が、前記フランジと並行して前記第１，２周面の間に延びる上側縁と、前記上側縁の下方に位置して前記上側縁と並行かつ対向して延びる下側縁とを有し、前記補強片の下側縁が、前記張出部まで延びるとともに、前記第２周面から前記第１周面へ向かうにつれて前記フランジの下面の側へ次第に近づくように延びていることにある。
本発明の実施の形態の一例としては、前記補強片が、前記第１，２周面と平行して延びる両端縁を有し、前記両端縁が前記第１周面と前記第２周面とに連接される。
【０００７】
本発明の実施の形態の一例としては、前記第２周面が、前記第２周面の互いに対向する部位に前記容器本体の径方向内方へ凹む一対の凹部を有する。
【０００８】
【発明の実施の形態】
添付の図を参照して、本発明の収納用容器の詳細を説明すると、以下のとおりである。
【０００９】
図１，２は、収納用容器１の部分破断斜視図と、図１のＡ−Ａ線矢視断面図であり、図１では、蓋体１４を容器本体２から外した状態で示し、図２では、容器本体２の一部を省略して示す。容器１は、容器本体２と、容器本体２の頂部開口７を開閉可能な蓋体１４とで構成されている。
【００１０】
容器本体２は、略矩形の底面３と、底面３の周縁から上方へ延びる第１周面４と、第１周面４の頂部周縁から第１周面４と交差して第１周面４の周り方向外方へ延びるフランジ５と、フランジ５の外周縁に位置し、第１周面４を囲繞して延びる帯状の第２周面６とを有する。容器本体２には、底面３と第１周面４とにより略矩形の頂部開口７と略直方体状を呈する物品収納部８とが画成されている。
【００１１】
第１周面４は、長手方向へ延びる両側面４ａと、長手方向と交差する幅方向へ延びる両端面４ｂと、両側面４ａと両端面４ｂとが交差する曲面４ｃとを有し、曲面４ｃの間に延びる両側面４ａの寸法が、両端面４ｂのそれよりも大きいものである。
【００１２】
第１周面４と第２周面６との間には、フランジ５の下面の側で第１周面４と交差して第１周面４の径方向外方へ延びる補強片９が取り付けられている。第１周面４の頂部には、物品収納部８を密閉するための被覆シート１０が容器本体２の頂部開口７の略全域を被覆している。被覆シート１０の周縁部は、フランジ５の上面全周に延びるシール部１９に固着されている。
【００１３】
第２周面６は、フランジ５の外周縁から第１周面４の上方へ延びる面６ｄとフランジ５の外周縁から第１周面４の下方へ延びる面６ｅとを有し、第２周面６の両側面６ａが第１周面４の両側面４ａに、第２周面６の両端面６ｂが第１周面４の両端面４ｂに、第２周面６の曲面６ｃが第１周面４の曲面４ｃに対してそれぞれ並行に延びている。第２周面６の両側面６ａには、その略中央部に容器本体２の径方向内方へ凹む一対の凹部１１が形成されている。
【００１４】
第２周面６の両端面６ｂと曲面６ｃとには、第２周面６の下方へ延びる部分６ｅからフランジ５と並行して延びるとともに、その延びた先端部が略直角に折れてフランジ５の下方へわずかに延びる張出部１２が形成されている。第２周面６の両端面６ｂには、上方へ延びる部分６ｄの略中央部に、スプーンやバターナイフ等の柄の部分を差し入れることができる一対の切り欠き１３が形成されている。
【００１５】
蓋体１４は、略矩形の頂面１５と、頂面１５の周縁から下方へ延びる周面１６とを有する。周面１６は、長手方向へ延びる両側面１６ａと、幅方向へ延びる両端面１６ｂと、両側面１６ａと両端面１６ｂとが交差する曲面１６ｃとを有し、周面１６の内面が第２周面６の外面に摺接かつ係合可能である。周面１６の曲面１６ｃには、曲面１６ｃの下方に位置して周面１６の径方向外方へ延びる摘み部１７が形成されている。周面１６の両端面１６ｂには、第２周面６の両端面６ｂに形成された切り欠き１３に重なる切り取り可能な部位１８が形成されている。蓋体１４で容器本体２の頂部開口７を閉じると、蓋体１４の周面１６の端が張出部１２に当接する。
【００１６】
図３は、容器本体２の一部とともに示す図２の補強片９の側面図である。補強片９は、第１，２周面４，６と並行して延びる両端縁９ａ，９ｂと、両端縁９ａ，９ｂと交差して第１，２周面４，６の間に延びる上側縁９ｃと、上側縁９ｃの下方に位置して上側縁９ｃと並行かつ対向して延びる下側縁９ｄとを有する。図では、補強片９が張出部１２にまで延びている。
【００１７】
補強片９は、両端縁９ａ，９ｂが第１周面４と第２周面６の面６ｅと張出部１２とに連接され、上側縁９ｃがフランジ５の下面に連接されている。補強片９の下側縁９ｄは、第２周面６から第１周面４へ向かうにつれてフランジ５の下面の側へ次第に近づくように延びている。第１周面４の近傍における補強片９の上下側縁９ｃ、９ｄ間の寸法は、第２周面６の近傍におけるそれと比較して小さい。ゆえに、第２周面６の外面または張出部１２に衝撃が加えられた場合でも、補強片９が第１周面４の近傍において座屈または折損することで、第１周面４に伝わる衝撃を小さくすることができ、第１周面４に亀裂が生じることを防ぐことができる。
【００１８】
補強片９は、フランジ５の外周縁が容器本体２の頂部周縁から垂下してしまうような変形を防いだり、衝撃が加えられた第２周面６の破損を防ぐ機能、また、容器本体２を多数積み重ねたときに、フランジ５どうしの間に間隙ができるので、積み重ねた状態にある容器本体２それぞれの取り出しを容易にする機能も有する。第１周面４の近傍における補強片９の上下端縁９ｃ、９ｄ間の寸法は、容器本体２の強度に応じて適宜決定することができる。
【００１９】
図４は、図３とは異なる態様の補強片９の側面図である。補強片９は、第２周面６と並行して延びる端縁９ｂと、端縁９ｂと交差して第１，２周面４，６の間に延びる上側縁９ｃと、上側縁９ｃの下方に位置して上側縁９ｃと並行かつ対向して延びる下側縁９ｄとを有する。
【００２０】
補強片９は、第２周面６の側に位置する端縁９ｂが第２周面６の面６ｅと張出部１２とに連接され、上側縁９ｃがフランジ５の下面の側に連接されている。第１周面４の近傍では、補強片９の下側縁９ｄがフランジ５の下面へ向かって延び、補強片９と第１周面４との間にわずかな間隙が形成されている。第２周面６の外面または張出部１２に衝撃が加えられると、補強片９が座屈または折損してその衝撃を吸収する。
【００２１】
図５は、底面３の側から示す容器本体２の底面図である。補強片９は、第１周面４の両端面４ｂを二分して長手方向へ延びる中心線Ｙ上と曲面４ｃとに配置され、第１，２周面４，６に対して直交して延びている。補強片９の配置は、収納用容器１の形状や寸法により異なるが、衝撃を受け易い、少なくとも曲面４ｃに配置されていることが好ましい。
【００２２】
容器本体２と蓋体１４とが互いに係合すると、第２周面６の凹部１１と蓋体１４の両側面１６ａの間に間隙が生ずる。凹部１１に位置する蓋体１４の両側面１６ａを指で摘持すると、蓋体１４の両側面１６ａが間隙の寸法だけ容器本体２の幅方向内方へ撓み、蓋体１４が長手方向外方へ延びて蓋体１４の両端面１６ｂが容器本体２の第２周面６から上方へわずかに浮き上がる。ゆえに、容器本体２から容易に蓋体１４を外すことができる。
【００２３】
容器本体２と蓋体１４とは、ポリエチレン、ポリプロピレン等の熱可塑性合成樹脂シートを使用してプレス加工で作ることができる。また、熱可塑性合成樹脂を使用して鋳型の技術を利用して作ることができる。被覆シート１０としては、プラスチックフィルムやアルミ箔、または、プラスチックフィルムとアルミ箔とのラミネートシートを使用することができる。収納用容器１は、容器本体２の物品収納部８にバターやマーガリン、ジャム等の半固形の食料品（図示せず）を収納することができる。それら食料品を収納した場合、被覆シート１０の周縁部をフランジ５に固着するには、ヒートシールやソニックシール等の熱溶着の技術を利用することが好ましい。食料品以外の物品を収納する場合では、熱溶着の技術の他に、ホットメルト接着剤等を使用することができる。
【００２４】
【発明の効果】
本発明に係る収納用容器によれば、補強片の下側縁が第２周面から第１周面へ向かうにつれてフランジの下面の側へ次第に近づくように延びているので、第２周面に衝撃が加えられた場合でも、補強片が第１周面の近傍で座屈または折損してその衝撃を吸収または分散し、第１周面に伝わる衝撃を小さくすることができ、第１周面に亀裂が生じることを防ぐことができる。
【図面の簡単な説明】
【図１】蓋体を容器本体から外した状態で示す収納用容器の部分破断斜視図。
【図２】図１のＡ−Ａ線矢視断面図。
【図３】容器本体の一部とともに示す図２の補強片の側面図。
【図４】図３とは異なる態様の補強片の側面図。
【図５】底面の側から示す容器本体の底面図。
【符号の説明】
１              収納用容器
２              容器本体
３              底面
４              第１周面
４ａ            両側面
４ｂ            両端面
４ｃ            曲面
５              フランジ
６              第２周面
６ａ            両側面
６ｂ            両端面
６ｃ            曲面
７              頂部開口
８              物品収納部
９              補強片
９ａ，９ｂ      両端縁
９ｃ            上側縁
９ｄ            下側縁
１０              被覆シート
１１              凹部
１２              張出部
１３              切り欠き
１４              蓋体
１５              頂面
１６              周面
１６ａ            両側面
１６ｂ            両端面
１６ｃ            曲面
１７              摘み部
１８              部位
１９              シール部
Ｙ              中心線
【図１】
0004532628.tif 000002
【図２】
0004532628.tif 000003
【図３】
0004532628.tif 000004
【図４】
0004532628.tif 000005
【図５】
0004532628.tif 000006